(57)【要約】【課題】固定側と可動側の軸受部とピンを嵌め合わせて組み付ける着脱形の蝶番において、予め設定した任意の開度で、扉を静止させておくことができる蝶番を提供する【解決手段】この蝶番は、開閉可能な前扉１９と本体１８間に取り付けられ、軸受孔３ｂ、４ｂを持つ軸受部材３，４を設けた可動部材１と、軸受孔３ｂ、４ｂに嵌合するピン１３ｂ、１４ｂを有する軸保持部１３，１４を設けた固定部材１１とからなる着脱形の蝶番である。弾性変形可能な弾性板部７ａを有する扉ストッパ７が弾性板部７ａを固定部材１１の軸保持部１３に当接可能に可動部材１に取り付けられ、前扉１９の任意の開放位置で扉ストッパ７の弾性板部７ａが固定部材１１の軸保持部１３に当接して前扉１９の回動を停止させる。【選択図】図４
2005113634.tif 000002
【特許請求の範囲】
【請求項１】
開閉可能な扉と本体間に取り付けられ、軸受孔を持つ軸受部材を設けた第一部材と、該軸受孔に嵌合するピンを有する軸保持部を設けた第二部材とからなる着脱形の蝶番において、
弾性変形可能な弾性板部を有する扉ストッパが該弾性板部を該第二部材の該軸保持部に当接可能に該第一部材に取り付けられ、該扉の任意の開放位置で該扉ストッパの弾性板部が該第二部材の該軸保持部に当接して該扉の回動を停止させることを特徴とする蝶番。
【請求項２】
前記弾性板部は金属板を略くの字状に曲折して形成され、該くの字状の頂部に前記軸保持部のアーム部の下端が当接して扉の回動を停止させることを特徴とする請求項１記載の蝶番。
【請求項３】
前記扉ストッパは前記第一部材の軸受部材と第二部材の軸保持部が嵌合された後で該第一部材に取り付けられ、該扉ストッパには該第一部材の軸受部材と該第二部材の軸保持部との外れを阻止するために、該軸保持部の下部に当接可能な当て部が該扉ストッパに設けられたことを特徴とする請求項１記載の蝶番。                                                                       
【発明の詳細な説明】
【技術分野】
【０００１】
本発明は、扉を本体に対し開閉自在に支持する着脱形（ピンを軸受孔に挿入するピン挿入形）の蝶番に関し、特に扉の回動を所定の位置で停止させる扉ストッパを備えた蝶番に関する。
【背景技術】
【０００２】
従来、例えばスロットマシンの扉を開閉自在に支持する蝶番として、縦長の固定部材と可動部材とからなる蝶番であって、固定部材の取付板部における上部と下部の縁部に、各々軸受孔を持つ軸受部が軸心位置を１本の軸線上に一致させて設けられ、可動部材の取付板部における上部と下部の縁部に形成した巻付部に、各々ピンが軸心位置を１本の軸線上に一致させ且つ下方に突出して固定され、両ピンを固定部材の各軸受部に挿入して組み付けるようにした着脱形の蝶番が下記特許文献１などで知られている。
【特許文献１】特開平１０−２０１９２２号公報
【発明の開示】
【発明が解決しようとする課題】
【０００３】
この蝶番は、縦長の固定部材の上部と下部に軸受部となる軸受孔を同一軸線上に設け、同様の縦長の可動部材の上部と下部にピンを同一軸線上に取り付けて構成されるため、例えば、その固定部材をスロットマシンの本体に固定し、可動部材をその前扉に固定した状態で、ピンを軸受孔に挿入するように蝶番を組み付ければ、重量の重い扉であっても、本体に対し扉を容易に且つ円滑に開閉可能に支持させることができる。
【０００４】
しかしながら、例えばスロットマシンの本体のように、その前面が鉛直面に対し、その下部を前方に出し、その上部を後方に引くように傾斜している場合、その前面に装着される扉の蝶番の回動軸も、鉛直軸に対し傾斜したものとなる。このため、その扉を開いた場合、その開度が９０度までの間においては、扉が重力により閉鎖方向の力を受け、自然に閉じてしまうという現象が生じる。
【０００５】
このため、スロットマシンの修理や点検を行う際に、扉を開いておきたい場合には、扉を９０度より僅かに超えて開いた状態として作業を行っていたが、何らかの外力が扉に作用して、扉の開度が９０度以下になった場合、扉が自然に閉じる状態となり、作業中に不用意に扉が閉じてしまうという危険が生じる虞があった。
【０００６】
本発明は、上記の点に鑑みてなされたもので、固定側と可動側の軸受部とピンを嵌め合わせて組み付ける着脱形の蝶番において、予め設定した任意の開度で、扉を静止させておくことができる蝶番を提供することを目的とする。
【０００７】
上記目的を達成するための本発明の蝶番は、開閉可能な扉と本体間に取り付けられ、軸受孔を持つ軸受部材を設けた第一部材と、軸受孔に嵌合するピンを有する軸保持部を設けた第二部材とからなる着脱形の蝶番において、弾性変形可能な弾性板部を有する扉ストッパが弾性板部を第二部材の軸保持部に当接可能に第一部材に取り付けられ、扉の任意の開放位置で扉ストッパの弾性板部が第二部材の軸保持部に当接して扉の回動を停止させることを特徴とする。
【０００８】
ここで、請求項２のように、上記弾性板部は、金属板を略くの字状に曲折して形成され、くの字状の頂部に軸保持部のアーム部の下端が当接して扉の回動を停止させるように構成することができる。
【０００９】
また、請求項３のように、上記扉ストッパは、第一部材の軸受部材と第二部材の軸保持部が嵌合された後で第一部材に取り付けられ、扉ストッパには第一部材の軸受部材と第二部材の軸保持部との外れを阻止するために、軸保持部の下部に当接可能な当て部を扉ストッパに設けることができる。
【発明の効果】
【００１０】
このように構成される蝶番は、第一部材を扉に可動部材として固定し、第二部材を本体に固定部材として固定するか、或はその逆に、第二部材を扉に可動部材として固定し、第一部材を本体に固定部材として固定して使用する。また、例えば、蝶番の第一部材を扉に可動部材として固定し、第二部材を本体に固定部材として固定した場合、第二部材の巻付部に設けたピンは上向きに固定され、そのピンに第一部材の軸受部材が上側から嵌入され、蝶番は組み付けられ、扉が本体に対し蝶番を介して開閉可能に取り付けられる。
【００１１】
一方、蝶番の第一部材を本体に固定部材として固定し、第二部材を扉に可動部材として固定する場合、第二部材の巻付部に設けたピンは下向きに配設され、その第二部材のピンが第一部材の軸受部材の軸受孔に上側から嵌入され、蝶番は組み付けられる。例えば、扉側の第一部材に扉ストッパを取り付けた場合、扉ストッパの弾性板部は、第二部材の軸保持部の例えばアーム部の下端に当接可能となる。
【００１２】
本体に対し閉じた状態の扉を開くと、第一部材の扉ストッパの弾性板部は、固定側の第二部材における軸保持部のアーム部の下端にばね弾性を持って接触しながら摺動し、例えば扉が９０度開いた状態で、軸保持部のアーム部の下端が扉ストッパの弾性板部の頂部を越える。扉が重力などで自然に閉じる状態にある場合、扉を開く操作力をとめると、扉ストッパの弾性板部の頂部が軸保持部のアーム部の下端に当接した状態となり、扉ストッパを有する第一部材が停止し、扉がその位置で停止する。
【００１３】
このため、扉が重力などで自然に閉じる状態であっても、扉ストッパにより扉が停止し、扉を所定の開放角度（例えば９０度）に開いたとき、その開放状態が保持されることになる。開放状態から、扉を閉じる場合は、扉を持って回動させると、第一部材の扉ストッパの弾性板部が弾性変形して、軸保持部のアーム部の下端が弾性板部の頂部を乗り越え、扉は回動する。
【００１４】
したがって、スロットマシンのように、傾斜した本体の前面に取り付けられる扉であって、開放された扉が重力で自然に閉じる場合であっても、扉ストッパの弾性板部と軸保持部の係合により、扉は予め設定した任意の角度で保持され、不用意に扉が閉じることは防止される。
【発明を実施するための最良の形態】
【００１５】
以下、本発明の実施の形態を図面に基づいて説明する。図１は蝶番の可動部材１の平面図と左側面図を示し、図２はその平面図と正面図を示している。可動部材１は、縦長の基枠体２を有しており、基枠体２には断面をＬ形にした取付板２ａが設けられ、その基枠体２の取付板２ａの上部と下部に、軸受部３ａ，４ａを有する略コ字状の軸受部材３、４が、かしめ加工、溶接等により固定されている。
【００１６】
すなわち、基枠体２の取付板２ａには、図２に示すように、その上部と下部に開口部５，６が形成されており、その開口部５，６の上方における内側に、軸受部材３、４が固定されている。軸受部材３、４は、金属板を略Ｌ形に曲折して形成されて基枠体２の内側に固定され、その水平板部分に軸受部３ａ，４ａが形成され、軸受部３ａ，４ａには軸受孔３ｂ，４ｂが穿設される。取付板２ａの開口部５，６は、後述の固定部材１１側の軸保持部１３，１４を挿入するために、縦長の矩形形状に形成されている。また、上部と下部の軸受部材３，４の側壁部には、後述の軸保持部１３，１４をその中に差し入れた際、その軸保持部１３，１４を軸受孔３ｂ，４ｂに合わせてガイドするためのガイド部３ｃ、４ｃが、その壁部を内側に折り曲げて設けられている。このガイド部３ｃは、扉側の可動部材１を固定部材１１に対し最大開度まで開放したとき、固定部材１１のアーム部１３ｃがそこに当接し、開放時のストッパとしても機能する。
【００１７】
さらに、可動部材１の基枠体２における開口部５の下側には、扉ストッパ７が固定される。この扉ストッパ７は、後述の固定部材１１側の軸保持部１３のアーム部１３ｃの下部に、その弾性板部７を弾性を持って当接させて、可動部材１の回動を停止させ、開き角度を所定の角度に保持するように形成される。すなわち、扉ストッパ７は、図５に示すように、その上部に略くの字状に曲折した弾性板部７ａを設けて形成され、基枠体２の所定位置に取付固定するために、２個の取付孔７ｃが穿設される。この弾性板部７ａは上方に向けて頂部を形成するように、山形に形成され、ばね弾性をもって上下に変形可能である。
【００１８】
この扉ストッパ７は、固定部材１１側の軸保持部１３，１４に可動部材１の軸受部材３，４を嵌め込んだ後、可動部材１の軸受部材３，４の外れを防止するための機能も有しており、そのために、固定部材１１の軸保持部１３，１４と可動部材１の軸受部材３，４が嵌合された後、可動部材の取付板２ａの所定箇所に固定される。そして、扉ストッパ７の上部には、後述の固定部材１１側の軸保持部１３（ピン１３ｂ）の下部に当接し、ピンの外れを防止するための当て部７ｂが形成されている。
【００１９】
固定部材１１は、図３に示すように、縦長で帯状の鋼板から形成した取付板部１２を主要部として形成され、取付板部１２の縁部の上部と下部に、同様の形状の軸保持部１３、１４が突設され、取付板部１２の適所に複数の取付孔が設けられる。軸保持部１３、１４は、図３、図４に示すように、直角に曲折したアーム部１３ｃ、１４ｃを有し、そのアーム部１３ｃ、１４ｃの先端に巻付部１３ａ，１４ａを前方に突出するように形成し、その巻付部１３ａ，１４ａにピン１３ｂ，１４ｂを各々上向きに嵌挿・固定して構成される。
【００２０】
巻付部１３ａ，１４ａは突設部分の先端を巻き付けるように筒状に成形され、内側に頭部付きのピン１３ｂ，１４ｂを巻付部に圧入し或は締付けすることにより、ピン１３ｂ，１４ｂが巻付部１３ａ，１４ａにその先端を上方に突出した状態で固定される。上下のピン１３ｂ，１４ｂは、その軸が取付板部１２の長手方向に沿った１本の軸線上を通るように、軸心位置を合わせて取り付けられる。ピン１３ｂ，１４ｂの先端（上端）は尖頭形状に形成される。
【００２１】
なお、扉ストッパ７は、上部の軸受部材３下の開口部５の下方に取り付けたが、下部の軸受部材４下の開口部６の下方に取り付けることもでき、上部と下部の両方の軸受部材３、４下の開口部５、６の下方に取り付けることもできる。
【００２２】
このように構成された蝶番は、図４に示すように、その固定部材１１が、スロットマシンなどの前面が傾斜したゲーム機の本体（キャビネット）１８側に、取付板部１２の取付孔に取付ねじを挿入して締め付けることにより固定される。また、その可動部材１がゲーム機の前扉１９側の固定部材１１と対応した位置に、その基枠体２を取付ねじにより締め付けて取り付けられる。
【００２３】
固定部材１１は、本体１８の開口部の縦辺の長さと略同じ長さに形成され、本体１８の内側縦辺の略全体にわたって取り付けられる。また、可動部材１は前扉１９の内側縦辺の長さと略同じ長さに形成され、前扉１９の内側縦辺の縁部に取り付けられる。
【００２４】
蝶番の可動部材１と固定部材１１を組み付ける場合は、図４に示す如く、前扉１９を開いた状態で、蝶番の可動部材１の上下の軸受部３ａ、４ａを固定部材１１の上下のピン１３ｂ，１４ｂに嵌合して、前扉１９を本体１８に対し装着する。この際、前扉１９を持って先ず上下の軸受部材３、４を固定部材１１側の軸保持部１３、１４に合わせ、その軸保持部１３，１４を開口部５，６から可動部材１の内側に挿入するように可動部材１つまり前扉１９を動かす。そして、軸受部材３、４下部のガイド部３ｃ、４ｃを、固定部材側の軸保持部１３、１４の巻付部１３ａ，１４ａに当てるように、軸受部材３、４を軸保持部１３、１４に被せるようにして、前扉１９を動かす。
【００２５】
このとき、上下のガイド部３ｃ、４ｃが上下の巻付部１３ａ，１４ａに当り、さらに前扉１９を押し込むように動かすと、巻付部１３ａ，１４ａつまりピン１３ｂ，１４ｂが軸受孔３ｂ，４ｂの軸線位置にガイドされる。従って、この状態で、図６のように、前扉１９の位置を少し下げれば、自動的にピン１３ｂ，１４ｂが軸受孔３ｂ，４ｂ内に進入して嵌合し、蝶番が組み付けられる。
【００２６】
次に、扉ストッパ７を可動部材１の開口部５の下方の取付板２ａに当て、図４のように、２本の取付ねじ８を取付孔７ｃと取付板２ａ側の孔にねじ込んでこれを固定する。これにより、扉ストッパ７の弾性板部７ａの頂部が軸保持部１３のアーム部１３ｃの下端に接触可能な状態となり、扉ストッパ７の当て部７ｂは軸保持部１３（ピン１３ｂ）の下側に位置する。このようにして、軸受部材３、４の軸受孔３ｂ，４ｂへの嵌め込みが行われ、蝶番の可動部材１と固定部材１１の組付が完了し、扉ストッパ７の当て部７ｂにより、軸保持部１３の下降つまり軸受部材３の上昇移動は阻止され、可動部材１がどのような開度の状態であっても、外れることは防止される。
【００２７】
この状態で、前扉１９を約９０度の最大開度（最大開度は軸受部材３，４のガイド部３ｃ、４ｃの位置などにより決定される）まで開くと、可動部材１の開口部５内に取り付けた扉ストッパ７の弾性板部７ａの頂部が、軸保持部１３のアーム部１３ｃの下端に当接し、弾性変形しながら、アーム部１３ｃの下端が頂部を乗り越える。このため、前扉１９はその開放状態を保持し、自然に閉じることは防止される。
【００２８】
この状態から、前扉１９を持って閉じる方向に回動させると、前扉１９は、蝶番のピン１３ｂ、１４ｂを軸に回動し、このとき、扉ストッパ７の弾性板部７ａが頂部を下げるように弾性変形して、アーム部１３ｃの下端が頂部を乗り越え、扉は閉鎖方向に回動する。
【００２９】
このように、前扉１９が重力などで自然に閉じる状態であっても、前扉１９を例えば約９０度開いたとき、扉ストッパ７により前扉１９が停止し、その開度で保持され、その状態から、前扉１９を閉じる場合は、前扉１９を持って回動させると、可動部材１の扉ストッパの弾性板部７ａが弾性変形して、軸保持部１３側のアーム部１３ｃの下端が弾性板部７ａの頂部を乗り越えて前扉１９は回動する。したがって、スロットマシンのように、前面が鉛直面に対し傾斜し、前扉１９の蝶番の軸が鉛直軸に対し傾斜している場合であって、前扉１９を開いたとき、扉にかかる重力で自然に閉じてしまう場合であっても、所定の開度で前扉１９を静止させることができ、ゲーム機の修理や点検作業を、前扉を開いた状態で、安全に行うことができる。
【００３０】
なお、上記扉ストッパ７に設けた弾性板部７ａは、くの字状以外の形状とし、頂部を凸部とすることも可能であり、また、弾性板部７ａが接触する軸保持部１３側の部材も、アーム部１３ｃ以外の固定部材１１の一部とすることも可能である。
【００３１】
さらに、本発明の蝶番の基本構成は、上記実施形態では、可動部材１側に軸受孔３ｂ、４ｂを有する軸受部材３、４を設け、固定部材１１側にピン１３ｂ，１４ｂを有する軸保持部１３、１４を設けたが、上記とは逆の構成として、固定部材側に軸受孔を有する軸受部材を固定し、可動部材側にピンを有する軸保持部を固定してもよく、その場合、可動部材側のピンは下向きに取り付けられる。
【００３２】
以上のように、本発明の蝶番によれば、扉を開くと、第一部材の扉ストッパの弾性板部が、固定側の第二部材における軸保持部にばね弾性を持って接触しながら摺動し、例えば扉が９０度開いた状態で、軸保持部が扉ストッパの弾性板部の頂部あるいは凸部を乗り越えるから、扉が重力などで自然に閉じる状態にある場合、扉を開く操作力をとめると、扉ストッパの弾性板部の頂部などが軸保持部の一部に当接した状態となり、扉ストッパを有する第一部材が停止し、扉がその位置で停止する。したがって、スロットマシンの前扉のように、その蝶番の回動軸が鉛直軸に対し傾斜し、前扉が重力で自然に閉じる状態であっても、前扉を止めて安全に修理や点検作業を行うことができる。
【図面の簡単な説明】
【００３３】
【図１】本発明の蝶番の一実施形態を示し、（ａ）は蝶番の可動部材１の平面図、（ｂ）はその左側面図である。
【図２】（ａ）は蝶番の可動部材１の平面図、（ｂ）はその正面図である。可動部材１の左側面図である。
【図３】（ａ）は蝶番の固定部材１１の平面図、（ｂ）はその左側面図である。
【図４】可動部材、固定部材、扉ストッパの部分分解斜視図である。
【図５】扉ストッパの斜視図である。
【図６】可動部材と固定部材の組み付け時の部分右側面図である。
【図７】可動部材と固定部材を組み付けた状態の拡大部分斜視図である。
【図８】ゲーム機に取り付け、扉を閉じた状態の部分拡大斜視図である。
【図９】前扉を開いた状態の部分拡大斜視図である。
【図１０】前扉を開いた状態の平面図である。
【図１１】前扉を閉じた状態の平面図である。
【符号の説明】
【００３４】
１−可動部材
２−基枠体
３、４−軸受部材
３ａ，４ａ−軸受部
３ｂ，４ｂ−軸受孔
５、６−開口部
７−扉ストッパ
７ａ−弾性板部
７ｂ−当て部
１１−固定部材
１２−取付板部
１３、１４−軸保持部
１３ａ，１４ａ−巻付部
１３ｂ，１４ｂ−ピン
１３ｃ−アーム部                                                                        
【図１】
2005113634.tif 000003
【図２】
2005113634.tif 000004
【図３】
2005113634.tif 000005
【図４】
2005113634.tif 000006
【図５】
2005113634.tif 000007
【図６】
2005113634.tif 000008
【図７】
2005113634.tif 000009
【図８】
2005113634.tif 000010
【図９】
2005113634.tif 000011
【図１０】
2005113634.tif 000012
【図１１】
2005113634.tif 000013